(57)【要約】【課題】舗装層下に埋設されている金属管やケーブルの埋設位置を探索する場合に舗装層を壊さなくても金属管やケーブルの埋設位置を測定することができる埋設位置測定装置を提供する。【解決手段】舗装層２を壊さなくても金属管やケーブルの埋設位置を測定することができる埋設位置測定装置１は、舗装層２の表面にアースプレート６を配設した状態で、交流信号通電部５からガス管３とアースプレート６を介した大地４との間に交流信号を通電すると、この交流信号が流れるガス管３から交番磁界が発生するため、磁界検出部８は、この交番磁界を舗装面上で検出する。測定部９は、この交番磁界の最も強い位置をガス管３の直上位置であると判定し、磁界検出部８を移動させながら連続的にガス管３の直上位置を測定する。このように、舗装層を破壊しなくてもアースプレート６を介してガス管３の埋設位置を探索することができる。【選択図】図１
2008215891.tif 000002
【特許請求の範囲】
【請求項１】
舗装層下に埋設された金属管やケーブルの埋設位置を測定するための埋設位置測定装置であって、
前記金属管やケーブルと大地との間に交流信号を通電する交流信号通電手段と、前記交流信号通電手段から前記金属管やケーブルと大地との間に交流信号を通電する場合に前記舗装層表面に配設されて大地と静電的に結合させる静電結合用金属板と、前記交流信号通電手段から前記金属管やケーブルと前記静電結合用金属板を介した大地との間に前記交流信号が通電された場合に当該金属管やケーブルから発生する交番磁界を前記舗装層表面で検出する移動可能な交番磁界検出手段と、前記交番磁界検出手段により検出された交番磁界に基づいて前記金属管やケーブルの埋設位置を測定する埋設位置測定手段とを備えたことを特徴とする埋設位置測定装置。
【請求項２】
請求項１に記載の埋設位置測定装置であって、前記静電結合用金属板は前記交流信号の大地との通電状態を向上させる水分の吸収可能な吸湿部材を、前記舗装層表面に対向する面に貼着したことを特徴とする埋設位置測定装置。
【発明の詳細な説明】
【技術分野】
【０００１】
本発明は、埋設された電線管、ガス管等の金属管やケーブルの埋設位置を測定するための埋設位置測定装置に関する。
【背景技術】
【０００２】
従来、地中に埋設された電線管、ガス管等の金属管やケーブルと大地との間に所定周波数の交流信号を通電し、この通電によって金属管やケーブルから発生した交番磁界を検出して当該金属管やケーブルの埋設位置を測定する埋設位置測定装置（特許文献１参照）が出願されている。
【０００３】
上記従来の埋設位置測定装置で金属管やケーブルの埋設位置を測定する場合、金属管やケーブルと大地間に交流信号を通電するために地面にアース棒（アース端子）を差し込む必要がある。
しかしながら、市街地では大地が全面的に舗装されていることが多いため、大地へのアース棒の差込が困難である場合がある。そのため、アスファルトやコンクリートで舗装された舗装層下に埋設されている金属管やケーブルの埋設位置を探索する必要が生じた場合は、舗装層を壊して大地を露出させ、アース棒を差し込むことが必要となる。しかしながら、埋設位置の探索後に舗装層を修復することが必要となって、手間がかかるという問題がある。
【特許文献１】特開昭６３−２７９１９３号公報
【発明の開示】
【発明が解決しようとする課題】
【０００４】
そこで本発明では、舗装層下に埋設されている金属管やケーブルの埋設位置を探索する場合に舗装層を壊さなくても金属管やケーブルの埋設位置を測定することができる埋設位置測定装置を提供することを解決すべき課題とするものである。
【課題を解決するための手段】
【０００５】
上記課題は、特許請求の範囲の欄に記載した埋設位置測定装置により解決することができる。
請求項１に記載の埋設位置測定装置によれば、舗装層下に埋設されている金属管やケーブルの埋設位置を探索する場合、舗装面に静電結合用金属板を配設した状態で、交流信号通電手段から探索対象となる金属管やケーブルと静電結合用金属板を介した大地との間に交流信号を通電する。この交流信号が探索対象となる金属管やケーブルを流れると、当該金属管やケーブルから交番磁界が発生するため、移動可能な交番磁界検出手段は、この発生した交番磁界を舗装面上で検出する。埋設位置測定手段は、移動可能な交番磁界検出手段により検出された当該交番磁界の最も強い位置を当該金属管やケーブルの直上位置であると判定し、交番磁界検出手段を移動させながら連続的に当該金属管、もしくはケーブルの直上位置を測定する。このように、舗装層を壊さなくても舗装層下に埋設されている金属管やケーブルの埋設位置を探索することができる。
【０００６】
請求項２に記載の埋設位置測定装置によれば、静電結合用金属板は水分を吸収することができる吸湿部材を貼着しているため、吸湿した水分により交流信号の大地との通電状態を向上させることができる。これにより探索対象となる金属管やケーブルからの発生磁界が強くなって、より正確に金属管やケーブルの直上位置を測定することができる。
【発明の効果】
【０００７】
本発明によれば、舗装層下に金属管やケーブルが埋設されていても、舗装層を破壊することなく金属管やケーブルの埋設位置を測定することができる。
【発明を実施するための最良の形態】
【０００８】
次に、本発明の実施の形態について説明する。
図１は、金属管やケーブルの埋設位置を測定するための埋設位置測定装置１の全体的な構成を示した系統図で、アスファルトやコンクリートの舗装層２の下に埋設されているガス管３の位置を探索し、測定する場合の系統を示している。
埋設位置測定装置１は、ガス管３と大地４との間に例えば８０ＫＨｚ、３８ＫＨｚ、あるいは９．５ＫＨｚなどの交流信号を通電する交流信号通電部５と、交流信号通電部５からガス管３と大地４との間に交流信号を通電する場合に舗装層２及び大地４と静電的に結合させる舗装層表面配置のアースプレート６と、交流信号通電部５から上記交流信号がガス管３とアースプレート６を介して大地４との間に通電された場合にガス管３から発生する交番磁界７を検出する移動可能な磁界検出部８と、磁界検出部８により検出された交番磁界７に基づいてガス管３の埋設位置を測定する測定部９とを備えている。
【０００９】
上記のように、アスファルトやコンクリートで舗装されている場合でも、上記アースプレート６を舗装面に配置すれば、背景技術の欄で説明したような舗装層を壊してアース棒を大地４に差し込む必要が無く、上記交流信号の大地４との通電を可能にする。尚、アースプレート６の舗装面と対面する面側には、上記交流信号の大地４との通電状態を向上させる水分を吸収可能な吸湿材１０、例えば海綿などが貼着されている（図２参照）。この吸湿材１０が吸収した水分により、上記交流信号の大地４との通電状態が向上し、ガス管３に発生する交番磁界７の強さが大きくなり、磁界検出部８による磁界検出が容易になる。
【００１０】
尚、上記磁界検出部８と測定部９は一体に構成されており、測定者が測定部９に取り付けられたハンドル９Ａ，９Ｂを握って舗装層２の表面に沿って移動させることができるため、後述のように測定者は、一体に構成された磁界検出部８、測定部９を舗装層２の表面に沿って移動させながら、最も強い磁界を検出する位置を探索することができる。
【００１１】
図１に示すように、交流信号通電部５に接続されたリード線１１Ａは、ガスメータ１２に接続されているガス管３にクリップ等で接続され、リード線１１Ｂは、アスファルト舗装面２に配設された前述のアースプレート６にクリップ等で接続されている。
【００１２】
図２は、上記アースプレート６の斜視図である。アースプレート６はアルミニュームや鉄材の平板１２で構成されており、運搬に容易なように折りたたみできるように２個の丁番１３が取り付けられている。アースプレート６の下面、即ち舗装層２と対面する面側には、上述の吸湿材１０が貼着されている。
【００１３】
以上の様に構成されている埋設位置測定装置１において、図１に示すように交流信号通電部５がリード線１１Ａ，１１Ｂを介してガス管３とアースプレート６に接続されると、交流信号通電部５から通電された交流信号が、［リード線１１Ａ−ガス管３−大地４−アースプレート（吸湿材１０を含む）６−リード線１１Ｂ］で構成される通電回路を流れるため、ガス管３に交番磁界７が発生する。この交番磁界７が磁界検出部８で検出されると、磁界の強さに対応した電圧信号が測定部９に出力される。
【００１４】
上記のように磁界検出部８で交番磁界が検出され、検出磁界の強さに対応した電圧信号が測定部９に出力されると、測定部９は、その電圧信号に基づいて検出磁界のレベルを判定し、その磁界の強さを後述の液晶表示器でグラフ、あるいはＬＥＤで発光表示するため、測定者は、一体に構成された磁界検出部８、測定部９を舗装層２の表面に沿って移動させながら、最も強い磁界を検出する位置を探索する。これにより、測定者は、この最も強い磁界を検出する位置の真下にガス管３が埋設されていると判断することができる。
【００１５】
図３は、磁界検出部８と測定部９の構成を示した系統図である。
図３に示すように、磁界検出部８は、ガス管３から発生する磁界の垂直成分と水平成分とを検出するための磁界検出コイル２１を有しており、垂直成分、水平成分それぞれに対応した交流電圧信号を出力する。
【００１６】
上記垂直成分、水平成分それぞれに対応した交流電圧信号は、測定部９の増幅回路２２で増幅されたあと、検波回路２３で同期検波される。検波回路２３で同期検波された信号は、磁界レベル判定回路２４に出力され、磁界の強さに対応した信号が生成されて表示用信号として表示器２５に出力される。表示器２５は、前述のように液晶表示器やＬＥＤ表示器などで構成されており、磁界の強さを液晶表示器でグラフ、あるいはＬＥＤで発光表示するため、測定者は、この最も強い磁界を検出する位置の真下にガス管３が埋設されていると判断する。
【００１７】
尚、図１では、埋設探索対象としてガス管３の例を示したが、ガス管に限らず、電線管などの金属管、あるいはケーブルなども埋設探索対象とすることができる。また、図３に示した磁界検出部８、測定部９は一例であって、この構成のものに限らない。
【００１８】
図４は、前述のアースプレートの通電特性を示したものである。図４の（Ａ）は、アルミニュームで形成したアースプレートをコンクリート舗装層表面に配設して大地との間に８０ＫＨｚ、３８ＫＨｚ、９．５ＫＨｚの交流信号を通電した場合の、アースプレートの面積（平方センチメートル）に対応した交流信号電流を示したものである。また、図４の（Ｂ）は、鉄材で形成したアースプレートを同一厚みのコンクリート舗装層表面に配設して大地との間に８０ＫＨｚ、３８ＫＨｚ、９．５ＫＨｚの交流信号を通電した場合の、アースプレートの面積（平方センチメートル）に対応した交流信号電流を示したものである。また、図４の（Ｃ）は、アルミニュームで形成したアースプレートを上記コンクリートと同一厚みのアスファルト舗装層表面に配設して大地との間に８０ＫＨｚ、３８ＫＨｚ、９．５ＫＨｚの交流信号を通電した場合の、アースプレートの面積（平方センチメートル）に対応した交流信号電流を示したものである。更に、図４の（Ｄ）は、鉄材で形成したアースプレートを同一厚みのアスファルト舗装層表面に配設して大地４との間に８０ＫＨｚ、３８ＫＨｚ、９．５ＫＨｚの交流信号を通電した場合の、アースプレートの面積（平方センチメートル）に対応した交流信号電流を示したものである。
【００１９】
上記図４の（Ａ），（Ｂ），（Ｃ），（Ｄ）から明らかなように、交流信号の周波数が同一であれば、同一厚みの舗装層がアスファルトよりコンクリートのほうが通電電流は大きくなる。また、交流信号の周波数８０ＫＨｚ、３８ＫＨｚ、９．５ＫＨｚの範囲では、周波数が高くなれば、通電電流が大きくなる。更に、アースプレートの面積が増えれば通電電流が大きくなる。
【図面の簡単な説明】
【００２０】
【図１】埋設位置測定装置の全体的な構成を示した説明図である。
【図２】アースプレートの斜視図である。
【図３】磁界検出部と測定部の構成を示した系統図である。
【図４】（Ａ），（Ｂ），（Ｃ），（Ｄ）はアースプレートの通電特性を示した特性図である。
【符号の説明】
【００２１】
１  埋設位置測定装置
２  舗装層
３  ガス管
４  大地
５  交流信号通電部
６  アースプレート
７  交番磁界
８  磁界検出部
９  測定部
１０  吸湿材
１１Ａ，１１Ｂ  リード線
１２  平板
１３  丁番
【図１】
2008215891.tif 000003
【図２】
2008215891.tif 000004
【図３】
2008215891.tif 000005
【図４】
2008215891.tif 000006